(57)【要約】  互いに向けて移動可能であり、アクティブサウンド放射領域（８，９，１０，２”’，１１”，３０’，３１’，３２’，３３’）を有する少なくとも１つのスピーカ（５,６,７,２１’、２２’，２３’，１ｃ’，１ｄ’）をそれぞれが備える、スピーカ保持部（２,３,４,１７,１８,１９,２１,２２，２３，３０，３１，３２，３３）を備えるラウドスピーカ筐体（１,１’，１”，１”’，１ａ，１ｂ，１ｃ，１ｄ）において、ラウドスピーカ筐体（１,１’，１”，１”’，１ａ，１ｂ，１ｃ，１ｄ）の閉状態では、少なくとも１つのスピーカ保持部（２,３,４,１７,１８,１９,２１,２２，２３）の、少なくとも１つのスピーカ（５,６,７,２１’、２２’，２３’，１ｃ’，１ｄ’）のアクティブサウンド放射領域（８，９，１０，２”’，１１”，３０’，３１’，３２’，３３’）がカバーされ、かつ他の１つのスピーカ保持部（２,３,４,１７,１８,１９,２１,２２，２３，３０，３１，３２，３３）の背面に向けられる。
2008533789.tif 000002
【特許請求の範囲】
【請求項１】
閉および開状態を有するラウドスピーカ筐体であって、
互いに移動可能な複数のスピーカ保持部であって、アクティブサウンド放射領域を有する少なくとも１つのスピーカをそれぞれが備える、スピーカ保持部を備え、
前記ラウドスピーカ筐体の前記閉状態では、少なくとも１つの前記スピーカ保持部における、前記少なくとも１つのスピーカの前記アクティブサウンド放射領域が、カバーされて、かつ他の１つの前記スピーカ保持部の背面を向いており、前記背面は、前記他のスピーカ保持部の前記少なくとも１つのスピーカの前記アクティブサウンド放射領域の反対側に位置する、
ことを特徴とするラウドスピーカ筐体。
【請求項２】
前記スピーカのサウンド放射方向は、前記ラウドスピーカ筐体の前記閉および／または開状態において、互いにほぼ同方向である、ことを特徴とする請求項１に記載のラウドスピーカ筐体。
【請求項３】
前記ラウドスピーカ筐体は、ジグザグの態様で折りたたまれる、ことを特徴とする請求項１に記載のラウドスピーカ筐体。
【請求項４】
前記スピーカ保持部は、前記ラウドスピーカ筐体の前記開状態から前記閉状態に移動する際にハサミの動作を行うような態様で、互いに連結されている、ことを特徴とする請求項１に記載のラウドスピーカ筐体。
【請求項５】
前記ラウドスピーカ筐体は、前記スピーカ保持部を互いにずらすことによって開閉されるように設けられている、ことを特徴とする請求項１に記載のラウドスピーカ筐体。
【請求項６】
前記ラウドスピーカ筐体は、互いに直交する少なくとも２つの軸を中心に折りたたまれる、ことを特徴とする請求項１に記載のラウドスピーカ筐体。
【請求項７】
請求項１乃至請求項６のいずれかに記載のラウドスピーカ筐体を少なくとも１つ備えることを特徴とする、携帯型電子装置用のドッキングステーション。
【発明の詳細な説明】
【技術分野】
【０００１】
本発明は、閉および開状態を有するラウドスピーカ筐体に関し、このラウドスピーカ筐体は、互いに向けて移動可能であり、アクティブサウンド放射領域を有する少なくとも１つのスピーカをそれぞれが備える、スピーカ保持部を備える。
【背景技術】
【０００２】
開および閉状態を有するラウドスピーカ筐体は、独国特許第３９１５２０４号により知られている。この文献によると、ラウドスピーカ筐体は、低音ラウドスピーカを有するフロントパネルを有する長方形のラウドスピーカハウジングを備える。フロントパネルと、垂直の横パネルとは、個別のラウドスピーカを含む開口を有し、個別のラウドスピーカは、ラウドスピーカハウジングの前端に平行かつ直接隣接した軸を中心に、ラウドスピーカがラウドスピーカハウジングの外面と同一平面となるように配置される閉格納状態と、ラウドスピーカが垂直に突出する開動作状態との間で回動するように支持される。
【発明の開示】
【発明が解決しようとする課題】
【０００３】
既知のラウドスピーカ筐体では、残念ながら、ラウドスピーカが、例えば携帯型オーディオプレイヤーまたは携帯電話などの携帯型装置用として使用されるような、小さなラウドスピーカ筐体向けには、非常に適したものでないことが明らかとなっており、それは、既知のラウドスピーカ筐体の折りたたみ機構が、スピーカの数、よって全体のラウドスピーカ筐体の有効なサウンド放射領域を、大きく制限するからである。フロントパネルに配置されたスピーカのアクティブサウンド放射側は、折りたたみ状態では外側に向けられるため、ラウドスピーカ筐体の閉状態において、スピーカの少なくとも一部のアクティブサウンド放射領域が良好に保護されていないことは、既知の実施形態のさらなる欠点である。
【０００４】
本発明の目的は、上に述べられた欠点を除去する、第１の段落で述べられた種類のラウドスピーカ筐体を提供することである。
【課題を解決するための手段】
【０００５】
上述の目的を達成するために、本発明に係る特徴的な機能は、本発明に係る装置と共に提供され、よって、本発明に係る装置は、以下のように特徴付けられる。
【０００６】
閉および開状態を有するラウドスピーカ筐体であって、ラウドスピーカ筐体は、互いに移動可能な複数のスピーカ保持部であって、アクティブサウンド放射領域を有する少なくとも１つのスピーカをそれぞれが備える、スピーカ保持部を備え、ラウドスピーカ筐体の閉状態では、少なくとも１つのスピーカ保持部における、少なくとも１つのスピーカのアクティブサウンド放射領域が、カバーされて、かつ他の１つのスピーカ保持部の背面を向いており、この背面は、前記他のスピーカ保持部の少なくとも１つのスピーカのアクティブサウンド放射領域の反対側に位置する。
【０００７】
本発明に係る特徴的機能の提供は、ラウドスピーカ筐体を、容易に格納して運ぶことができるという利点をもたらし、一方、スピーカのアクティブサウンド放射領域は、非常によく保護されている。さらに、ラウドスピーカ筐体は、原理的に、任意の数のスピーカを備えることができる。よって、有効なサウンド放射領域が最大化される。他方で、その構造により、ラウドスピーカ筐体は、持ち運びに非常に便利であるという利点が達成される。
【０００８】
その上、スピーカまたはそのハウジングのそれぞれの容積に対する、置換された容積の比率を意味する音響効率は、大きなスピーカよりも、小さなスピーカの方がより高い。よって、１つの大きなスピーカの代わりに、多くの小さなスピーカを使用することは、効率の改善をもたらす。さらなる利点は、設計の柔軟性であり、それは、より小さなスピーカは、１つの大きなスピーカよりも高い自由度で配置可能だからである。さらに他の利点は、ハウジングの減少された重量および減少された振動であり、それは、小さなスピーカの重量および小さなスピーカの振動する質量が、１つの大きなスピーカよりも小さいからである。最後に、より多くのスピーカの配置は、音が明確な方向に向けられることを意味する、いわゆる“音ビーム”を生成することを可能にし、これに反して、前記ビーム以外には、音が全くないかほとんどない。また、ステレオ効果をエミュレートすること、または空間的な音をつくることのそれぞれが、可能である。これらの全ては、スピーカの信号の位相シフトによって達成され、位相シフトは、１つの大きなスピーカのみがある場合には、自然には可能ではない。前述の利点について、常に、より多くの小さなスピーカの配置を、同じ音圧を有する１つの大きなスピーカと比較していることに留意すべきである。
【０００９】
スピーカのサウンド放射方向が、ラウドスピーカ筐体の閉および／または開状態においてほぼ同じである場合、閉状態においてスピーカが非常によく保護されるという利点が達成され、これに対して、開状態では、一方向の有効なサウンド放射領域が増加され、よって、この方向の音の再生が、大きく改善される。
【００１０】
本発明の好適な実施形態によると、ラウドスピーカ筐体は、ジグザグの態様で折りたたまれる。これは、一方で、閉状態において非常に良好なスピーカの保護が達成され、これに対して他方で、開状態でのスピーカの空間的な位置決めが改善される、という利点を達成し、それは、スピーカを、直線状またはリング状などの、数多くの姿勢で配置できるからである。
【００１１】
本発明の他の実施形態によると、スピーカ保持部は、ラウドスピーカ筐体の開状態から閉状態に移動する際にハサミの動作を行うような態様で、互いに連結されている。これは、ラウドスピーカ筐体が、非常に容易に開閉できるという利点を提示する。この実施形態のさらなる利点は、移動可能な部分の数が減少され、よって、ラウドスピーカ筐体を開閉する際の、ラウドスピーカ筐体を損傷するリスクが、最小化されることである。
【００１２】
しかし、ラウドスピーカ筐体が、スピーカ保持部を互いに向けてずらすことによって開閉されるように設けられている場合、特に有利であることが判明している。これは、運搬中の折りたたみによって、望まれずに開くことから、ラウドスピーカ筐体が守られるという利点を提示する。
【００１３】
ラウドスピーカ筐体が、互いに直交する少なくとも２つの軸を中心に折りたたまれる場合、さらに有利である。これは、スピーカが、開状態においてマトリックスの形状に配置され、これにより、ラウドスピーカ筐体の有効なサウンド放射領域を、音の再生の所与の要件に従って、ごく容易に最適化できるという利点を提示する。
【００１４】
本発明に係る少なくとも１つのラウドスピーカ筐体を備える、携帯型電子装置用のドッキングステーションが使用された場合、携帯型電子装置の音の再生が改善される。
【発明を実施するための形態】
【００１５】
本発明のこれらおよび他の態様は、以下に述べられる実施形態から明らかとなり、これらを参照して説明される。
【００１６】
本発明は、以下、非限定の例により、図面に示される実施形態を参照して、より詳細に説明される。
【００１７】
図１は、閉状態にある、本発明に係るジグザグ折りたたみ型のラウドスピーカ筐体１を示している。ラウドスピーカ筐体１は、スピーカ５，６，７を備えるスピーカ保持部２，３，４を備え、スピーカ保持部２，３，４は、互いに向けて移動可能である。スピーカ５，６，７は、当業者に知られるような、一般的なラウドスピーカである。さらに、スピーカ５，６，７は、好適な実施形態によると、全て同じものである。
【００１８】
スピーカ保持部２，３，４は、ラウドスピーカ筐体１が、図２に示されるように、回転移動を行うことによって開状態から折りたたまれるような態様で、互いに連結されている。
【００１９】
スピーカ５，６，７のそれぞれは、アクティブサウンド放射領域８，９，１０を備える。スピーカ５，６，７のサウンド放射方向は、ラウドスピーカ筐体１が折りたたまれている閉状態において、ほぼ同一である。
【００２０】
ラウドスピーカ筐体１の閉状態において、スピーカ６および７のアクティブサウンド放射領域９および１０は、カバーされており、スピーカ保持部３または２の背面にそれぞれ向けて折り返されている。以下の説明において、スピーカ保持部２，３，４の背面は、この保持部２，３，４のアクティブサウンド放射領域８，９，１０の反対側に位置する、この保持部２，３，４の表面を意味すると理解される。
【００２１】
よって、先行するスピーカ保持部３，４のサウンド放射領域９，１０は、カバーされ、続くスピーカ保持部２，３の背面に向けて折り返されている。
【００２２】
２つの隣接するスピーカ保持部２，３，４は、中間部１１，１２によって連結されている。ラウドスピーカ筐体１の折りたたみ状態において、中間部１１，１２は、それぞれ、スピーカ６または７のうち一方のサウンド放射領域９，１０をカバーする。
【００２３】
中間部１１，１２と、スピーカ保持部２，３，４は、それぞれ、基本的に立方体の形状である。中間部１１，１２は、ヒンジ１３，１４，１５，１６によって、それぞれのスピーカ保持部に結合される。中間部１１，１２を２つのスピーカ保持部２，３，４に結合するヒンジ１３，１４，１５，１６は、それぞれの中間部１１，１２の反対側の端に配置されている。
【００２４】
スピーカ５，６，７のサウンド放射方向は、ラウドスピーカ筐体１の閉状態において、互いにほぼ同方向である。ラウドスピーカ筐体１の開状態において、スピーカ５，６，７のサウンド放射方向は、必ずしも同方向である必要はない。よって、スピーカ５，６，７は、ラウドスピーカ筐体１をどの程度まで折りたたむかに応じて、リングまたはアーチの形状に配置することができる。
【００２５】
図２によると、スピーカ保持部２，３，４と、中間部１１，１２は、回動式のプレートアセンブリを形成する。本発明の好適な実施形態では、ラウドスピーカ筐体１は、開状態に変化させることができ、開状態では、アクティブサウンド放射領域８，９，１０は、基本的に共通の平面に位置する。
【００２６】
図２ａに示されるラウドスピーカ筐体１ａは、図１および図２に示される実施形態とは、ラウドスピーカ筐体１ａの中間部１１も、スピーカ１１’を備える、という点のみが異なる。スピーカ１１’のアクティブサウンド放射領域１１”は、隣接するスピーカ保持部２，３のアクティブサウンド放射領域８,９と同方向に向けられている。
【００２７】
図２ｂは、本発明のさらなる代わりの実施形態を示しており、この実施形態によると、ラウドスピーカ筐体１ｂは、２つのみのスピーカ保持部２，２’を備える。スピーカ保持部２および２’は、ヒンジ１６によって連結されている。スピーカ保持部２またはスピーカ保持部２’を、ヒンジ１６を中心に折りたたむことによって、ラウドスピーカ筐体は、開状態から閉状態に変化する。
【００２８】
２つのスピーカ保持部２，２’のみが設けられるため、スピーカ保持部２，２’のスピーカ５，２”は、それらのアクティブサウンド放射領域８，２”’が、ラウドスピーカ筐体１ｂの開状態において、反対方向に向けられるように配置される。前の文で述べられた寸法は、スピーカ２”のアクティブサウンド放射領域２”’が、スピーカ保持部２の背部に向けられ、よって、ラウドスピーカ筐体１ｂの閉状態において保護されていることを保証する。
【００２９】
図３は、本発明に係るラウドスピーカ筐体１’の他の実施形態を示している。図３に示されているラウドスピーカ筐体１’は、スピーカ保持部１７，１８，１９も備える。スピーカ保持部１７，１８，１９は、直進移動によって互いに対してずらすことが可能な態様で連結されている。よって、ラウドスピーカ筐体１’は、スピーカ保持部１７，１８，１９を互いに向けてずらすことによって、開閉される。
【００３０】
好適な実施形態によると、各スピーカ保持部１７，１８，１９は、続く保持部１７，１８，１９のための案内部を備える。案内部は、図３には示されておらず、スピーカ保持部１７，１８，１９の背面の案内レールによって実現することができる。本発明の好適な実施形態において、カバー部２０が、スピーカ保持部１７の前に配置される。これは、全てのスピーカ５，６，７のアクティブサウンド放射領域８，９，１０が、ラウドスピーカ筐体１’の折りたたみ状態において保護されている、という利点を提示する。さらに、スピーカ保持部１７，１８，１９は、基本的に同じサイズであり、ここで、スピーカ保持部１７，１８，１９は、折りたたみ状態において、スタックを形成する。
【００３１】
さらに、スピーカ５，６，７のサウンド放射方向は、ラウドスピーカ筐体１’の閉および開状態において、互いにほぼ同方向である。
【００３２】
図４によると、ラウドスピーカ筐体１’は、スピーカ保持部１７，１８，１９とカバー部２０とを、図３に矢印で示される横方向にずらすことによって、閉状態から開状態に変化させることができる。換言すると、ラウドスピーカ筐体１’は、スピーカ保持部１７，１８，１９と、カバー部２０とを、引き出しのように移動することによって、その開または閉状態に変化する。よって、ラウドスピーカ筐体１’は、伸縮自在である。
【００３３】
図５は、本発明のさらなる実施形態を示しており、この実施形態によると、ラウドスピーカ筐体１”は、メインスピーカ保持部２１と、メインスピーカ保持部２１から側方に突出する２つの側面スピーカ保持部２２，２３とを備える。側面スピーカ保持部２２，２３と、メインスピーカ保持部２１とは、それぞれ、複数のスピーカ２１’，２２’，２３’を備える。メイン部２１は、ステータ２４に結合され、独立型のラウドスピーカ筐体１”が達成される。側面スピーカ保持部２２，２３は、それぞれ、関節型ジョイント２５，２６によってメインスピーカ保持部２１と連結されている。
【００３４】
側面部２２，２３は、それぞれのスピーカ２２’，２３’のアクティブサウンド放射領域がカバーされていない開状態から、本体２１に向けて、閉状態へと移動する際に、それぞれ、ハサミの動作を行う。本発明の実施形態によると、側面部２２，２３は、メインスピーカ保持部２１内に折りたたまれる。
【００３５】
図６は、携帯型電子装置２８用のドッキングステーション２７を示している。携帯型電子装置２８は、例えば、携帯型音楽プレイヤーまたは携帯電話などとすることができる。ドッキングステーション２７は、本発明に係る２つのラウドスピーカ筐体１ｃ，１ｄを備える。図６に示されるラウドスピーカ筐体１ｃ，１ｄは、図５に示されるラウドスピーカ筐体１”と同タイプのものである。ラウドスピーカ筐体１ｃは、折りたたみ状態で示され、一方、他のラウドスピーカ筐体１ｄは、半開状態で示されている。ドッキングステーション２７は、携帯型装置２８用のコレット２９を備える。コレット２９は、携帯型装置２８の音声出力において供給された音声信号を、ラウドスピーカ筐体１ｃ，１ｄのスピーカ１ｃ’，１ｄ’に供給するための、当業者に知られるような手段を備える。
【００３６】
図７ａ〜図７ｈは、本発明のさらなる実施形態を示しており、この実施形態によると、スピーカ保持部３０，３１，３２，３３は、軸ａ１，ａ２またはａ２，ａ３を中心にそれぞれ折りたたまれており、これらの軸は、互いに、およびラウドスピーカの軸Ｌに直交する。本発明のこの実施形態によると、ラウドスピーカ筐体１”’は、地図のように折りたたまれる。スピーカ保持部３０，３１，３２，３３のアクティブサウンド放射領域は、図７ａ〜図７ｈにおいて、３０’，３１’，３２’，３３’で示されている。
【００３７】
図７ｂ〜図７ｆは、スピーカ筐体を、図７ａおよび図７ｂに示される開状態から図７ｇおよび図７ｈに示される閉状態に変化させる異なるステップを示している。
【００３８】
第１のステップにおいて、スピーカ保持部３０は、軸ａ１を中心にして折りたたまれ、よって、スピーカ保持部３０は、図７ｃおよび図７ｄに示されるように、そのアクティブサウンド放射領域３０’が、隣のスピーカ保持部３１の表面上に位置するようになる。
【００３９】
第２のステップにおいて、スピーカ保持部３０および３１は、軸ａ２を中心に折りたたまれ、ここで、スピーカ保持部３０および３１は、図７ｅおよび図７ｆに示されるように、スピーカ保持部３２の背面上に位置するようになる。
【００４０】
最後のステップにおいて、スピーカ保持部３０，３１および３２のパッケージは、軸ａ３を中心に折りたたまれ、よって、スピーカ保持部３０，３１および３２は、図７ｇおよび図７ｈに示されるように、スピーカ保持部３３上に位置するようになる。軸ａ１，ａ２，ａ３は、ヒンジによって実現される物理軸を構成する。
【００４１】
図７ａ〜図７ｈに示されているラウドスピーカ筐体が、３つのみのスピーカ保持部３０，３１，３２，３３を備える場合、ラウドスピーカ筐体は、軸ａ１，ａ２またはａ３のうち２つのみのそれぞれを中心に折りたたまれる。
【００４２】
本発明は、原理的に、２以上の任意の数のスピーカ保持部２,３,４,１７,１８,１９，２１，２２，２３，３０，３１，３２，３３により実現でき、任意の数の隣接するスタックを形成することに留意すべきである。ラウドスピーカ筐体１，１’，１”，１”’，１ａ，１ｂ，１ｃ，１ｄの折りたたみ状態では、スピーカ保持部２,３,４,１７,１８,１９,２１，２２，２３，３０，３１，３２，３３のアクティブサウンド放射領域８,９,１０,２”’，１１”，３０’，３１’，３２’，３３’は、カバーされ、他のスピーカ保持部２,３,４,１７,１８,１９,２１，２２，２３，３０，３１，３２，３３の背面に向けられていることが、まさに重要である。また、スピーカ保持部２,３,４,１７,１８,１９,２１，２２，２３，３０，３１，３２，３３は、任意の数のスピーカ５，６，７，２１’，２２’，２３’，１ｃ’，１ｄ’を備えることができる。
【００４３】
上述の実施形態は、本発明を限定するのではなく、例示していること、および、当業者は、多くの代わりの実施形態を、添付の特許請求で定義されるような本発明の範囲から逸脱することなしに設計可能であることを、述べておくべきである。各請求項において、カッコ内に置かれるどの参照符号も、請求項を限定するものとして解釈されるべきではない。“備える”等の語は、いずれの請求項または全体としての明細書に列記されるもの以外の要素またはステップの存在も除外しない。要素を単数として示していることは、そのような要素の複数の存在を除外せず、その逆も同様である。いくつかの手段を列記する装置請求項においては、これらの手段のいくつかを、全く同一のハードウェアのアイテムによって具体化してもよい。特定の手段が、互いに異なる従属請求項において引用されているという単なる事実は、これらの手段の組合せを有利に用いることができないということを示すものではない。
【図面の簡単な説明】
【００４４】
【図１】図１は、閉状態にある、本発明に係るラウドスピーカ筐体の第１の実施形態を示している。
【図２】図２は、開状態にある、図１のラウドスピーカ筐体を示している。
【図２ａ】図２ａは、開状態にある、図１のラウドスピーカ筐体の変形を示している。
【図２ｂ】図２ｂは、開状態にある、図１のラウドスピーカ筐体の代わりの変形を示している。
【図３】図３は、閉状態にある、本発明に係るラウドスピーカ筐体の実施形態を示している。
【図４】図４は、開状態にある、図３のラウドスピーカ筐体を示している。
【図５】図５は、本発明に係るラウドスピーカ筐体のさらなる実施形態を示している。
【図６】図６は、本発明に係るラウドスピーカ筐体を備えるドッキングステーションを示している。
【図７ａ】図７ａは、開状態にある、本発明に係るラウドスピーカ筐体のさらなる実施形態の平面図を示している。
【図７ｂ】図７ｂは、図７ａの実施形態の正面図を、方向ｄ１で示している。
【図７ｃ】図７ｃは、第１の折りたたみステップの後の、図７ａのラウドスピーカ筐体の平面図を示している。
【図７ｄ】図７ｄは、図７ｃに示されているラウドスピーカ筐体の正面図を、方向ｄ１で示している。
【図７ｅ】図７ｅは、第２の折りたたみステップの後の、図７ａのラウドスピーカ筐体の平面図を示している。
【図７ｆ】図７ｆは、図７ｅに示されているラウドスピーカ筐体の正面図を、方向ｄ１で示している。
【図７ｇ】図７ｇは、閉状態にある、図７ａのラウドスピーカ筐体の平面図を示している。
【図７ｈ】図７ｈは、図７ｇに示されているラウドスピーカ筐体の正面図を、方向ｄ１で示している。
【００４５】
図面は、正しい縮尺ではなく概略的に描かれており、異なる図での同一の参照番号は、対応する要素を示している。当業者には、本発明の代わりの、しかし同等の実施形態が、真の発明的概念から逸脱することなく可能であること、および、本発明の範囲が、特許請求の範囲によってのみ限定されることが、明らかとなるであろう。
【図１】
2008533789.tif 000003
【図２】
2008533789.tif 000004
【図２ａ】
2008533789.tif 000005
【図２ｂ】
2008533789.tif 000006
【図３】
2008533789.tif 000007
【図４】
2008533789.tif 000008
【図５】
2008533789.tif 000009
【図６】
2008533789.tif 000010
【図７ａ】
2008533789.tif 000011
【図７ｂ】
2008533789.tif 000012
【図７ｃ】
2008533789.tif 000013
【図７ｄ】
2008533789.tif 000014
【図７ｅ】
2008533789.tif 000015
【図７ｆ】
2008533789.tif 000016
【図７ｇ】
2008533789.tif 000017
【図７ｈ】
2008533789.tif 000018
【国際調査報告】
2008533789.tif 000019
2008533789.tif 000020
2008533789.tif 000021